(57)【要約】【課題】プレゼンテーション切り替わり直前の画像も表示することによって、視聴者がプレゼンテーションの途中でも話の流れを反芻することを可能としスムーズなプレゼンテーションを可能とする。【解決手段】画像信号入力部及び画像信号出力部をもつ液晶投影装置において静止画像を使ったプレゼンテーション環境において入力画像信号が切り替わると本体内部の液晶表示装置においては入力されている最新画像を表示して、画像の切り替わりを検知することによって画像信号出力部においては切り替わり直前の表示画像を出力する。【選択図】        図１
2005049424.tif 000002
【特許請求の範囲】
【請求項１】
入力された画像信号を記憶する記憶手段と、前記記憶手段に記憶された画像信号に基づいて画像を出力する画像出力手段と、入力された画像信号が変化したことを検知する検知手段を備えた投射型表示装置において、前記検知手段により該入力画像信号が変化したことを検知した際、前記記憶手段に記憶された該入力画像信号に基づく画像データを前記画像出力手段へ送信し、前記画像出力手段は送信された画像データをＤＡ変換して画像出力することを特徴とする投射型表示装置。
【請求項２】
順次入力される画像信号を受信する受信部と、前記受信部により受信された第１の画像信号に基づいて第１の画像を投射面上に投射する第１の投射型表示装置と、前記第１の画像信号の次に前記受信部により受信された第２の画像信号に基づいて第２の画像を前記投射面上に投射する第２の投射型表示装置と、を備えた投射型表示システム。
【請求項３】
前記受信部により前記第２の画像信号の次に第３の画像信号が受信された際、前記第１の投射型表示装置は前記第２の画像信号に基づいて前記第２の画像を前記投射面上に投射し、前記第２の投射型表示装置は前記第３の画像信号に基づいて第３の画像を前記投射面上に投射することを特徴とする請求項２に記載の投射型表示システム。
【請求項４】
前記受信部により前記第２の画像信号の次に第３の画像信号が受信された際、前記第１の投射型表示装置は前記第３の画像信号に基づいて第３の画像を前記投射面上に投射することを特徴とする請求項２に記載の投射型表示システム。
【発明の詳細な説明】
【０００１】
【発明の属する技術分野】
本発明は、液晶表示パネルに光源からの光を照射して投射レンズを介してスクリーン面（投射面）上に画像を投射する投射型表示装置、さらには、複数の投射型表示装置を備えた投射型表示システムに関する。
【０００２】
【従来の技術】
テレビジョン映像等の画像をスクリーン面上に投影する投影装置としては、従来より液晶投影装置が知られている。
【０００３】
液晶投影装置においては液晶表示パネルを用い、投射用光源からの光を液晶表示パネルの裏面から照射し投射レンズ等の光学系を介してスクリーン面上に画像を投影するような構成をなしている。
【０００４】
このような投影装置を使用した静止画プレゼンテーションにおいて、プレゼンテーションの進行に合わせて表示画像は順次切り替わり、プレゼンターの話を聞きながら表示画像を正確に把握認識するのは困難であった。
【０００５】
なお、特許文献１および特許文献２には、複数の投射型表示装置を備えたマルチ投射型表示システムが記載されている。
【０００６】
【特許文献１】
特開平５−１４２６５５号公報
【特許文献２】
特開平６−１６８４４４号公報
【０００７】
【発明が解決しようとする課題】
そこで、本発明は上述の実情に鑑み、電気的な信号処理により連続したプレゼンテーション画像を複数台の表示装置に表示可能な液晶投射装置を提供することを目的とする。
【０００８】
【課題を解決するための手段】
上記の目的を達成するために、本発明に係る投射型表示装置は、入力された画像信号を記憶する記憶手段と、前記記憶手段に記憶された画像信号に基づいて画像を出力する画像出力手段と、入力された画像信号が変化したことを検知する検知手段を備えた投射型表示装置において、前記検知手段により該入力画像信号が変化したことを検知した際、前記記憶手段に記憶された該入力画像信号に基づく画像データを前記画像出力手段へ送信し、前記画像出力手段は送信された画像データをＤＡ変換して画像出力することを特徴とする。
【０００９】
また、本発明に係る投射型表示システムは、順次入力される画像信号を受信する受信部と、前記受信部により受信された第１の画像信号に基づいて第１の画像を投射面上に投射する第１の投射型表示装置と、前記第１の画像信号の次に前記受信部により受信された第２の画像信号に基づいて第２の画像を前記投射面上に投射する第２の投射型表示装置と、を備える。
【００１０】
さらに、前記受信部により前記第２の画像信号の次に第３の画像信号が受信された際、前記第１の投射型表示装置は前記第２の画像信号に基づいて前記第２の画像を前記投射面上に投射し、前記第２の投射型表示装置は前記第３の画像信号に基づいて第３の画像を前記投射面上に投射することを特徴とする。または、前記受信部により前記第２の画像信号の次に第３の画像信号が受信された際、前記第１の投射型表示装置は前記第３の画像信号に基づいて第３の画像を前記投射面上に投射することを特徴とする。
【００１１】
（作用）
入力画像を記憶しておき、入力画像が切り替わったことを検知して、前記憶画像を画像出力部から出力することによって、本体の表示装置には現在の入力画像、本体の画像信号出力部には記憶されている前入力画像を出力することができる。
【００１２】
【発明の実施の形態】
以下、本発明の実施例について、図面を参照しながら説明する。
【００１３】
図１は、本発明に対応する表示機器の一例として液晶投影装置の基本となる概略的な構成を示すブロック図である。
【００１４】
この図１に示すプロジェクタ装置において、１０２は図示しない各インターフェースコネクタを含む入力部であり、入力部１０２からビデオデコーダ１０またはＡ／Ｄコンバータ１１に複合カラー映像信号が供給される。前記供給された複合カラー映像信号は、解像度変換部１４に送られて、解像度変換処理、ガンマ補正、スケーリング処理等を行い、色補正処理部１５に送られる。色補正処理部１５では、光学系の構造、液晶パネルの構造に対応したＶ−Ｔ（透過率―電圧）補正等が行われ、映像信号は液晶表示装置（ＬＣＤ）駆動部１６に送られて、このＬＣＤ駆動回路１６が各色に対応する３枚の液晶表示パネル１７Ｒ、１７Ｇ、１７Ｂを表示駆動する。これらの液晶表示パネル１７Ｒ、１７Ｇ、１７Ｂは、ランプ１０１等の光源からの光が透過して得られた各色Ｒ、Ｇ、Ｂの画像が、投射レンズ１００を介してスクリーン面に投射される。
【００１５】
以下に本発明の実施形態を図４に示し、説明する。
【００１６】
この図４において、入力部４１には、ＶＧＡ等の図示しない入力Ｉ／Ｆから画像信号を入力して、Ａ／Ｄコンバータ部４２に画像データが送られる。Ａ／Ｄコンバータ部４２ではアナログ−デジタル変換され、解像度変換部４３に送られる。解像度変換部４３では解像度変換処理、ガンマ補正、スケーリング処理等を行い、色補正処理部４４に送られる。色補正処理部４４では、光学系、液晶パネルの特性を考慮したガンマ補正、Ｖ−Ｔ（透過率―電圧）補正等が行われ、映像信号は液晶表示装置（ＬＣＤ）駆動部４５に送られて、このＬＣＤ駆動回路４５が各色に対応する３枚の液晶表示パネル４６Ｒ、４６Ｇ、４６Ｂを表示駆動する。これらの液晶表示パネル４６Ｒ、４６Ｇ、４６Ｂは、ランプ４０１等の光源からの光が透過して得られた各色Ｒ、Ｇ、Ｂの画像が、投射レンズ４００を介してスクリーン面に投射される。解像度変換部４３は画像監視部４７（画像信号変化検知部）と接続され、前記画像監視部４７はＣＰＵ４０の制御命令によって本発明の動作状態、非動作状態を切り替える。前記画像監視部４７が動作状態にあるとき、図示しない前記解像度変換部４３内の図示しない記憶部を適時監視する。前記解像度変換部４３内の図示しない前記記憶部に記憶されている前記画像データは前記画像監視部の制御下にある前記記憶部４７ａに記憶される。前記解像度変換部４３内の図示しない前記記憶部内に記憶されている前記画像データに変化があった場合に前記画像監視部４７は前記記憶部４７ａ内の前記画像データを前記記憶部４７ｂに複製する。なお画像データの変化を検知する手段としては記憶部内の特定アドレスのデータ比較をすることや、全データでの比較方法などが考えられるが、厳密に方法が限定されるものではなく、本発明の趣旨を逸脱しない範囲で種々の変形や変更が行えることは勿論である。前記画像監視部４７は前記記憶部４７ｂ内に前記画像データがある場合は前記記憶部４７ｂ内の前記画像データを前記Ｄ／Ａコンバータ部４８に転送し、Ｄ／Ａコンバータ部ではデジタル画像データをアナログ化して出力Ｉ／Ｆ部４９から出力可能な形式に変換して出力Ｉ／Ｆ部４９から画像が出力される。
【００１７】
次に図２、図３に本実施例における動作を示し説明する。図２では２１プロジェクタＡで投射されているのは現在２３ＶＧＡケーブルから入力されている投射画像Ｂで、２２プロジェクタＢの画像入力ポートと２１プロジェクタＡの画像出力ポートと２４ＶＧＡケーブルで接続されていて、２１プロジェクタＡから２４ＶＧＡケーブルを介して２２プロジェクタＢに接続されている。
【００１８】
２１プロジェクタＡから２４ＶＧＡケーブルを介して、現在２３ＶＧＡケーブルから入力されている画像の前に入力されていた図示しない入力画像が２２プロジェクタＢに入力されて、投射画像Ａが投射されている。
【００１９】
２１プロジェクタＡに２３ＶＧＡケーブルを介して入力される画像が切り替わった時に図３のように２１プロジェクタＡからは新たに入力された画像データが投射画像Ｃとして投射される。同時に２１プロジェクタＡからは２４ＶＧＡケーブルを介して前回入力されていた画像データが２２プロジェクタＢに入力され、投射画像Ｂとして投射される。
【００２０】
次に図５に本発明の動作をフローチャートに示し動作を説明する。
【００２１】
Ｓ１電源がはいりＳ２へ。Ｓ２ではパワーボタンの操作等に係るＣＰＵからの制御により、液晶投影装置本体の全システムが起動する。Ｓ３で投射したい画像を画像入力Ｉ／Ｆ部より入力。Ｓ４では入力された画像データを記憶部ａに記憶する。Ｓ４では本発明の液晶投影装置本体に入力された画像を本体内蔵の液晶パネルに表示し、ランプ、光学レンズ等を介して投射スクリーンに投射する。Ｓ６では記憶部ｂに何等かの画像データが記憶されている場合Ｓ９へ移行し、記憶部ｂの画像データを画像出力Ｉ／Ｆから出力してＳ６へ。Ｓ６では記憶部ｂにデータが無ければＳ７へ。Ｓ７では図４における画像監視部４７においての画像変化検知手段を用いて判定を行い入力画像に変化があった場合Ｓ１０へ。入力画像に変化がない場合はＳ８へ。Ｓ１０では記憶部ａから記憶部ｂへ画像データを転送してＳ９へ。Ｓ９では記憶部ｂの内部に記憶された画像データを本体に備わっているＩ／Ｆ部を介して画像データを出力する。Ｓ８では本体のシステム終了指示があるかないか判定を行いない場合はＳ５へ。終了指示がある場合はＳ１１へ移行し、システム終了処理を行う。
【００２２】
さらに、本発明の特定の実施例については図面を参照しながら詳述したが、本発明はこれらの厳密な実施例に限定されるものではなく、本発明の趣旨を逸脱しない範囲で種々の変形や変更が行えることは勿論である。
【００２３】
【発明の効果】
以上の説明からも明らかなように、本発明によれば、プレゼンテーション切り替わり直前の画像も表示することによって、視聴者がプレゼンテーションの途中でも話の流れを反芻することを可能としスムーズなプレゼンテーションを可能とする。
【図面の簡単な説明】
【図１】液晶投射装置の概略的な構成を示すブロック図である。
【図２】本発明の実施例の動作状況を表すイメージ図。
【図３】本発明の実施例の動作状況を表すイメージ図。
【図４】本発明に係る液晶投射装置の一実施例の概略的な構成を示すブロック図である。
【図５】本発明の実施例の動作を示すフローチャート。
【符号の説明】
１  液晶投影装置
１００  投射レンズ
１０１  ランプ
１０２  入力部
１０３  Ｉ２Ｃバス
１０  ビデオでコーダ
１１  ＶＧＡケーブル
１２  ＶＧＡケーブル
１３  Ａ／Ｄコンバータ
１４  解像度変換部
１５  色補正処理部
１６  液晶駆動部
１７  液晶表示部
１８  ＣＰＵ
１９  操作パネル
４  液晶投影装置
４００  投射レンズ
４０１  ランプ
４０２  操作パネル
４０３Ｉ２Ｃバス
４０  ＣＰＵ
４１  入力Ｉ／Ｆ部
４２  Ａ／Ｄ部
４３  解像度変換部
４４色補正処理部
４５  液晶駆動部
４６  液晶パネル
４７  画像監視部
４７ａ  記憶部
４７ｂ  記憶部
４８  Ｄ／Ａ部
４９  出力Ｉ／Ｆ部
【図１】
2005049424.tif 000003
【図２】
2005049424.tif 000004
【図３】
2005049424.tif 000005
【図４】
2005049424.tif 000006
【図５】
2005049424.tif 000007